【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
方向に基づくサービスコンピューティング環境において興味のある地点（ＰＯＩ）に関する情報を提供するための方法であって、前記方法は、コンピューティングシステムのシステムメモリに記憶されたコンピュータ実行可能命令を前記コンピューティングシステムの処理装置が実行することによって実行され、
前記コンピューティングシステムが、前記方向に基づくサービスシステムの１組のＰＯＩに対するクエリーを受信するステップと、
前記コンピューティングシステムが、前記クエリーに関係するコンピューティングデバイスを特定するステップと、
前記コンピューティングシステムが、前記コンピューティングデバイスに対して管理された前記クエリーおよびＰＯＩ対話プロフィールに基づき、前記コンピューティングデバイスの集約した対話データを分析するステップであって、前記ＰＯＩ対話プロフィールが、前記コンピューティングデバイスの方向および位置に応じて、前記コンピューティングデバイスによる前記方向に基づくサービスコンピューティング環境のＰＯＩとの対話を表す前記集約した対話データから形成されているステップと、
前記コンピューティングシステムが、前記分析に基づいて、前記コンピューティングデバイスに関連するしきい値の１組のＰＯＩを、前記１組のＰＯＩに関連付けられた第１のデータとともに出力するステップと、
前記コンピューティングシステムが、ユーザが、遅延された対話のために前記１組のＰＯＩから１つのＰＯＩをマークしているという指示を受信するステップと、
前記コンピューティングシステムが、前記マークされたＰＯＩを所定の遅延基準と関連付けるための入力を受信するステップと、
前記コンピューティングシステムが、前記所定の遅延基準が、前記マークされたＰＯＩに関連付けられた前記第２のデータを前記コンピューティングデバイスに関連するユーザに提供するために満たされているかどうかを判定するステップであって、前記所定の遅延基準は、前記入力によって指定された所定の時間の経過、前記入力によって指定された特定の遅延時間、および、前記ユーザが前記クエリーに関連する前記コンピューティングデバイスとは異なるコンピューティングデバイスから前記第２のデータを要求するまでの遅延のうちの少なくとも１つを含むステップと、
前記コンピューティングシステムが、前記所定の遅延基準が満たされているかどうかの判定に応じて、前記マークされたＰＯＩに関連付けられた前記第２のデータにアクセスし、提供するステップと
を含むことを特徴とする方法。
【請求項２】
前記特定は、ログイン資格情報を介して前記コンピューティングデバイスおよび前記ＰＯＩ対話プロフィールを暗黙的に特定するステップを含むことを特徴とする請求項１に記載の方法。
【請求項３】
前記出力によって出力されたＰＯＩの前記組を表示するステップと、
前記組のＰＯＩの少なくとも１つに関する追加情報を表示する要求を受信するステップと、
前記追加情報を表示する前記要求の前記受信に応じて、前記ＰＯＩの前記少なくとも１つに対応する前記追加情報を取得および表示するステップと
をさらに含むことを特徴とする請求項１に記載の方法。
【請求項４】
前記ＰＯＩの前記少なくとも１つに対応する前記追加情報は、前記ＰＯＩの前記少なくとも１つに関する広告を含むことを特徴とする請求項３に記載の方法。
【請求項５】
前記コンピューティングデバイスの前記集約された対話データの分析は、
前記コンピューティングデバイスによってＰＯＩとの事前の対話を分析するステップと、
前記組のＰＯＩとの他のコンピューティングデバイスによる前記対話を分析するステップと
をさらに含むことを特徴とする請求項１に記載の方法。
【請求項６】
前記組のＰＯＩとの他のコンピューティングデバイスの前記対話を分析するステップは、協調フィルタリングを使用するステップをさらに含むことを特徴とする請求項５に記載の方法。
【請求項７】
前記受信したクエリーは、ＰＯＩのカテゴリを含むことを特徴とする請求項１に記載の方法。
【請求項８】
前記コンピューティングデバイスの前記集約された対話データを分析するステップは、前記カテゴリにおいてＰＯＩの過去の使用パターンを分析することをさらに含むことを特徴とする請求項７に記載の方法。
【請求項９】
１組のＰＯＩを出力する前記ステップは、前記過去の使用パターンに少なくとも部分的に基づいて、かつ独立した評価に少なくとも部分的に基づいて、１組のＰＯＩを出力するステップをさらに含むことを特徴とする請求項１に記載の方法。
【請求項１０】
方向に基づくサービスからの興味のある地点（ＰＯＩ）に関する情報を分析するためのコンピューティングシステムであって、前記コンピューティングシステムは、少なくとも１つの処理装置と、コンピュータ実行可能命令を記憶したシステムメモリとを備え、前記コンピュータ実行可能命令が前記少なくとも１つの処理装置によって実行されると、
前記コンピューティングシステムが、前記方向に基づくサービスシステムの１組のＰＯＩに対するクエリーを受信するステップと、
前記コンピューティングシステムが、前記クエリーに関係するコンピューティングデバイスを特定するステップと、
前記コンピューティングシステムが、前記コンピューティングデバイスに対して管理された前記クエリーおよびＰＯＩ対話プロフィールに基づき、分析コンポーネントを使用することによって前記コンピューティングデバイスの集約した対話データを分析するステップであって、前記ＰＯＩ対話プロフィールが、前記コンピューティングデバイスの方向および位置に応じて、前記コンピューティングデバイスによる前記方向に基づくサービスコンピューティング環境のＰＯＩとの対話を表す前記集約した対話データから形成されているステップと、
前記コンピューティングシステムが、前記分析に基づいて、前記コンピューティングデバイスに関連するしきい値の１組のＰＯＩを、前記１組のＰＯＩに関連付けられた第１のデータとともに出力するステップと、
前記コンピューティングシステムが、ユーザが、遅延された対話のために前記１組のＰＯＩから１つのＰＯＩをマークしているという指示を受信するステップと、
前記コンピューティングシステムが、前記マークされたＰＯＩを所定の遅延基準と関連付けるための入力を受信するステップと、
前記コンピューティングシステムが、前記所定の遅延基準が、前記マークされたＰＯＩに関連付けられた前記第２のデータを前記コンピューティングデバイスに関連するユーザに提供するために満たされているかどうかを判定するステップであって、前記所定の遅延基準は、前記入力によって指定された所定の時間の経過、前記入力によって指定された特定の遅延時間、および、前記ユーザが前記クエリーに関連する前記コンピューティングデバイスとは異なるコンピューティングデバイスから前記第２のデータを要求するまでの遅延のうちの少なくとも１つを含むステップと、
前記コンピューティングシステムが、前記所定の遅延基準が満たされているかどうかの判定に応じて、前記マークされたＰＯＩに関連付けられた前記第２のデータにアクセスし、提供するステップと
を含む方法を前記コンピューティングシステムに実行させることを特徴とするコンピューティングシステム。
【請求項１１】
前記分析コンポーネントは、異なるユーザーに関連する複数のデバイスによる前記１組のＰＯＩのうちの少なくとも１つのＰＯＩとの対話に基づいて、前記集約した対話データを統計的に分析することを特徴とする請求項１０に記載のコンピューティングシステム。
【請求項１２】
前記分析コンポーネントは、ユーザーのサブセットに関連する少なくとも１つのデバイスによる前記１組のＰＯＩのうちの少なくとも１つのＰＯＩとの対話に基づいて、前記集約した対話データを統計的に分析することを特徴とする請求項１０に記載のコンピューティングシステム。
【請求項１３】
前記１組のＰＯＩを表現するためのインターフェイスを含むディスプレイコンポーネントと、
前記集約した対話データの分析に少なくとも部分的に基づいて判定された、適合された広告コンテンツを表現するための広告コンポーネントと
をさらに含むことを特徴とする請求項１０に記載のコンピューティングシステム。